(57)【特許請求の範囲】
【請求項１】
給紙トレイに載置された原稿を搬送路を経て排紙トレイへ搬送する搬送手段と、前記搬送路に配置されて、搬送されている原稿の第１面の画像を読み取る第１読取手段と、該第１読取手段と対向側の搬送路に配置されて、搬送されている原稿の第２面の画像を読み取る第２読取手段と、該第２読取手段の略対向位置に配設されて、第２読取手段の画像補正のための白色基準となるとともに前記搬送路を搬送される原稿を第２読取手段の読取位置へ案内する白色ガイド部材とを具備してなる画像読取装置において、
前記第２読取手段と白色ガイド部材とは接離自在に設けられて、片面読取りの場合には、搬送される原稿と第２読取手段又は／及び白色ガイド部材とが接触しないように離間され、両面読取りの場合には、第２読取手段の画像読取り及び画像補正が可能なように近接又は接触されるものであることを特徴とする画像読取装置。
【請求項２】
前記第２読取手段又は／及び前記白色ガイド部材を進退させる駆動手段と、前記第２読取手段の搬送路上流側に配置されて、該搬送路を搬送されている原稿を検知して検知信号を出力する検知手段と、該検知信号に基づいて、第２読取手段の画像読取り時に第２読取手段と白色ガイド部材とが近接又は接触するように前記駆動手段を動作させる制御手段とを具備してなるものであることを特徴とする請求項１に記載の画像読取装置。
【請求項３】
前記第２読取手段及び白色ガイド部材は、原稿読取りの待機時には、離間された状態のものであることを特徴とする請求項１又は２に記載の画像読取装置。
【発明の詳細な説明】
【０００１】
【発明の属する技術分野】
本発明は、搬送路を搬送されている原稿の画像を読み取る画像読取装置に関するものである。
【０００２】
【従来の技術】
スキャナ、ファクシミリ、複写機等には、紙のようなシート状の原稿の束を順次自動的に給紙して、各原稿の画像を読み取る画像読取装置が装備されているものがある。該画像読取装置には、一般に、順次供給される原稿を一旦固定して読み取るシート固定タイプのものと、原稿を固定することなく搬送されている原稿を読み取るシートスルータイプのものがあるが、読取時間等の優位性からシートスルータイプが採用される場合が多い。
【０００３】
シートスルータイプの従来の画像読取装置には、例えば特開平１−１９４６５８号公報に開示されているものがある。該装置は、原稿の搬送路の略対向位置に、原稿の表面を読み取る読取手段と裏面を読み取る読取手段とが夫々配置されており、搬送路を搬送される原稿の表裏面を２つの読取手段で同時に読み取る構成となっている。
【０００４】
前記読取手段には、蛍光灯やＬＥＤ等の光源により原稿に光を照射し、その反射光から原稿の画像を読み取る光学系のイメージセンサが汎用されており、電荷結合素子（Charge Couple Device、以下「ＣＣＤ」という。）を用いた縮小光学系の所謂ＣＣＤイメージセンサと、密着形イメージセンサ（Contact Image Sensor、以下「ＣＩＳ」という。）とが主に用いられている。ＣＩＳは、ＣＣＤイメージセンサより被写体深度が浅く、コストが高いものの、センサ全体が小型であることから、原稿の裏面を読み取るための前記読取手段のように、設置スペースが限定されているような場合に採用されることが多い。
【０００５】
図９は、一般的なＣＩＳの概略構造を示す断面図であるが、図に示すように、ＣＩＳ９００は、光源９０により光が照射された原稿からの反射光を、収束性ファイバ９１で光導電素子９２上に収束して読み取るものとなっている。ＣＩＳ９００の対向位置には、原稿をＣＩＳ９００の読取位置に導くためにシリコンゴムローラであるプラテンローラ９３が配置されており、ＣＩＳ９００と該プラテンローラ９３との間で原稿をニップしたような状態で画像読取りが行われる。また、該プラテンローラ９３は白色に着色されて、ＣＩＳ９００で読み取られた画像のシェーディング補正等を行うための白色基準としても用いられる場合が多い。
【０００６】
【発明が解決しようとする課題】
一般に、ＣＩＳの被写体深度は１０分の数ミリメートル程度と浅いので、前述したように、原稿はＣＩＳ９００とプラテンローラ９３とでニップされた状態で搬送されるが、原稿がＣＩＳ９００等と接触しながら移動することにより、ＣＩＳ９００の読取面やプラテンローラ９３の表面には、接触による傷やインクによる汚れが生じ、該傷や汚れは原稿の通過枚数に伴い累積的に増加する。これにより、シェーディング補正等を正確に行うことができなくなる等の画質異常を惹き起こすという問題があった。
【０００７】
このような傷や汚れを防止する手段として、特開２００１−３１３７９４号公報に開示されているものがある。これによれば、プラテンローラ９３にガイド面と白色基準面とを設け、原稿を案内して画像を読み取る場合と白色基準面により画像補正を行う場合とでガイド面と白色基準面とを切り換えるようにして、白色基準面に生じる経時的な傷等を防止している。
【０００８】
しかし、前記特開２００１−３１３７９４号公報によれば、ＣＩＳ９００の読取面とプラテンローラ９３の表面とは紙１枚分だけ離間されたものとなっているが、画像読取装置においては、均等な厚みの印刷用紙が搬送されるプリンタ等とは異なり、読み取るべき原稿の厚みが、例えば紙の種類等によってバラツキがあり一定ではない。従って、ＣＩＳ９００の読取面とプラテンローラ９３の表面との距離より厚みの大きい原稿、更には硬質或いは表面の粗い原稿が搬送された場合には、やはり、ＣＩＳ９００の読取面には原稿との接触による傷等が経時的に累積し、シェーディング補正ができなくなる等の画質異常が発生するという問題がある。また、ＣＩＳ９００の読取面とプラテンローラ９３の表面との距離より薄い原稿が搬送された場合には、原稿がニップされずにばたついてしまい、ＣＩＳ９００の読取画質が低下するという問題もある。
【０００９】
本発明は、これらの問題に鑑みてなされたものであり、画像読取手段の読取面や白色基準面に経時的に生ずる傷や汚れを低減させることが可能な画像読取装置を提供することを目的とする。
【００１０】
【課題を解決するための手段】
本発明に係る画像読取装置は、給紙トレイに載置された原稿を搬送路を経て排紙トレイへ搬送する搬送手段と、前記搬送路に配置されて、搬送されている原稿の第１面の画像を読み取る第１読取手段と、該第１読取手段と対向側の搬送路に配置されて、搬送されている原稿の第２面の画像を読み取る第２読取手段と、該第２読取手段の略対向位置に配設されて、第２読取手段の画像補正のための白色基準となるとともに前記搬送路を搬送される原稿を第２読取手段の読取位置へ案内する白色ガイド部材とを具備してなる画像読取装置において、前記第２読取手段と白色ガイド部材とは接離自在に設けられて、片面読取りの場合には、搬送される原稿と第２読取手段又は／及び白色ガイド部材とが接触しないように離間され、両面読取りの場合には、第２読取手段の画像読取り及び画像補正が可能なように近接又は接触されるものである。
【００１１】
これにより、両面読取の際には、原稿の画像読取り及び白色基準面による画像補正を行うことができる一方、片面読取の際には、原稿は第２読取手段又は／及び白色ガイド部材と接触せずに搬送路を搬送されるので、第２読取手段の読取面や白色ガイド部材の白色基準面に生じる傷や汚れを抑制するものとなる。
【００１２】
また、本発明は、前記画像読取装置において、前記第２読取手段又は／及び前記白色ガイド部材を進退させる駆動手段と、前記第２読取手段の搬送路上流側に配置されて、該搬送路を搬送されている原稿を検知して検知信号を出力する検知手段と、該検知信号に基づいて、第２読取手段の画像読取り時に第２読取手段と白色ガイド部材とが近接又は接触するように前記駆動手段を動作させる制御手段とを具備してなるものである。
【００１３】
これにより、第２読取手段が原稿の画像を読み取る場合以外には、原稿は第２読取手段又は／及び白色ガイド部材と接触せずに搬送路を搬送されるので、第２読取手段の読取面や白色ガイド部材の白色基準面に生じる傷や汚れを抑制するものとなる。
【００１４】
また、画像読取装置における画像読取りは、一般的に片面読取りの方が両面読取りより頻度が多いと考えられることから、さらには、待機時に白色ガイド部材に常時圧接力が負荷されることにより、白色ガイド部材の表面に付着した紙紛やごみ等が固着することを防ぐために、前記第２読取手段及び白色ガイド部材は、原稿読取りの待機時には、離間された状態とすることが好ましい。
【００１５】
【発明の実施の形態】
以下、本発明の実施の形態に係る画像読取装置を図面に基づき具体的に説明する。なお、本実施の形態に係る画像読取装置は本発明の一例にすぎず、本発明の構成が該画像読取装置に限定されるものでないことは当然である。
【００１６】
図１は、本画像読取装置１００の構成を示す概略断面図であり、図２は、本画像読取装置１００の制御を示すブロック図であるが、図に示すように、本画像読取装置１００は、読み取るべき原稿の束が載置される給紙トレイ１０１と、該原稿の束から最上紙を取り出して供給するピックアップローラ１０２ａ、セパレートローラ１０２ｂ、及びリタードローラ１０２ｃと、供給された原稿を下方へ反転させながら排紙トレイ１０３へ案内する搬送路１０４と、搬送路１０４に配置されて原稿を搬送する搬送ドラム１０５と、搬送路１０４の最下流側に配置されて原稿を排紙する排出ローラ１０６と、搬送路１０４の所定位置に配置された第１読取ユニット（第１読取手段）１０７と、第１読取ユニット１０７の下流側に上下方向に進退自在に配置された第２読取ユニット（第２読取手段）１０８と、第２読取ユニット１０８を進退させるソレノイド（駆動手段）１０９とを具備してなるものである。さらに、前記給紙トレイ１０１の原稿の有無を検知する原稿セットセンサ１１０と、第１読取ユニット１０７の上流側の所定位置で原稿を検知する第１リードセンサ１１１と、第２読取ユニット１０８の上流側の所定位置で原稿を検知する第２リードセンサ１１２とを具備している。
【００１７】
なお、本画像読取装置１００は、ファクシミリ及び複写機の機能を有する本体に装備されており、該本体の構成は詳細には説明しないが、図２に示すように、画像読取装置１００で読み取られた画像データは、本体制御部に出力され、プリンタにより印刷又はＣＯＤＥＣを介して送信されるものとなっている。なお、図には、本体制御部の他に画像読取制御部を設ける構成を示したが、本体制御部で第１読取ユニット１０７並びに第２読取ユニット１０８、モータ、給紙クラッチ等を制御する構成とすることも可能である。
【００１８】
前記給紙トレイ１０１は、画像読取装置１００の上部に、原稿を供給する方向へ傾斜するように設けられており、原稿の束は給紙トレイ１０１の傾斜下端側に揃えるようにして載置される。給紙トレイ１０１の傾斜下端側近傍には、ピックアップローラ１０２ａ、セパレートローラ１０２ｂ、及びリタードローラ１０２ｃが夫々配置されており、これらと搬送ドラム１０５及び排出ローラ１０６とで原稿の搬送手段を構成している。
【００１９】
ピックアップローラ１０２ａは、給紙トレイ１０１に載置された原稿の最上紙を取り出すためのものであり、揺動アーム２０に軸支されて、給紙トレイ１０１の底面に接離可能となっている。該揺動アーム２０は、図示しない給紙クラッチにより上下方向に揺動するものであり、該揺動によりピックアップローラ１０２ａは、原稿を載置する場合等の通常の状態では給紙トレイ１０１から離されており、原稿取出時に載置された原稿の最上紙と接触するように降下する。ピックアップローラ１０２ａは給紙トレイ１０１の底面に接触するまで降下可能であるので、原稿枚数により原稿の束の厚さが変化しても常に最上紙と接触可能である。
【００２０】
一方、セパレートローラ１０２ｂとリタードローラ１０２ｃとは、各々のローラの表面がニップするように配置されており、セパレートローラ１０２ｂは、ピックアップローラ１０２ａにより取り出された原稿を搬送路１０４に一定速度で送り込むとともに、リタードローラ１０２ｃが搬送方向と逆方向へ回転して、原稿の束から最上紙を確実に分離するようになっている。
【００２１】
前記ピックアップローラ１０２ａ、セパレートローラ１０２ｂ、及びリタードローラ１０２ｃは、図示しないモータ等の駆動源により適当なギア等を介して回転されるものであり、また、前記給紙トレイ１０１の原稿の有無は、原稿セットセンサ１１０により検知されており、該検知信号に基づいて、画像読取制御部が前記ピックアップローラ１０２ａ、セパレートローラ１０２ｂ、及びリタードローラ１０２ｃの動作を制御するものとなっている。
【００２２】
前記搬送路１０４は、給紙トレイ１０１と原稿排紙トレイ１０３とを連通する略Ｕ字形状の搬送経路であり、該搬送路１０４により、給紙トレイ１０１から供給された原稿は下方へ反転されて第１読取ユニット１０７上に導かれる。即ち、給紙トレイ１０１で上側となっている面が下側となり、該面が第１読取ユニット１０７に読み取られるものとなっている。
【００２３】
搬送路１０４には、原稿を搬送するための搬送ドラム１０５が配置されている。該搬送ドラム１０５は、搬送路１０４の略Ｕ字形状の湾曲部分に適合する筒状の回転体であって、その回転軸５０がモータ等の駆動源（図示せず）とベルトやギア等を介して連動されることにより、回転するものとなっている。該搬送ドラム１０５の外周には、搬送ドラム１０５の回転に従動して回転する従動ローラが、搬送路１０４を挟むようにして対向位置に適宜設けられており、前記搬送ドラム１０５と該従動ローラとにニップされて原稿が搬送されるものとなっている。
【００２４】
また、搬送路１０４の最下流側には排出ローラ１０６が設けられている。該排出ローラ１０６は、モータ等の駆動源により回転される回転ローラと従動ローラとの一対が搬送路１０４を挟むようにして設けられたものであり、図１では、搬送路１０４の最下流側に２個の排出ローラ１０６が配置されているが、搬送路１０４の形状や距離に応じて適宜増減することができる。
【００２５】
前記第１読取ユニット１０７は、搬送路１０４に近接するように設けられた透明なプラテンガラス７０と、該プラテンガラス７０を通して、搬送路１０４を搬送される原稿に光を照射する光源７１と、原稿からの反射光を所定の方向へ導くための反射ミラー７２と、該反射光を収束させるレンズ７３と、収束光を電気信号に変換するＣＣＤ７４とを備えてなる所謂ＣＣＤイメージセンサであり、図に示すように、搬送路１０４の下方において水平方向に移動可能に配設された移動式の画像読取手段である。
【００２６】
即ち、第１読取ユニット１０７はフラットベッドスキャナの読取ユニットと併用されており、フラットベッドにより原稿を読み取る際は、フラットベッド部の下方で水平方向に移動して原稿を読み取り、シートスルーにより原稿を読み取る際には、プラテンガラス７０の下方へ移動するものとなっている。このようにして、搬送路１０４を搬送されてプラテンガラス７０の直上を通過する原稿の画像を順次読み取る。
【００２７】
また、第１読取ユニット１０７の上流側の所定位置には第１リードセンサ１１１が配置されており、搬送路１０４を搬送される原稿を検知し、該検知信号に基づいて、画像読取制御部が第１読取ユニット１０７の原稿の読取動作を制御するものとなっている。即ち、第１リードセンサ１１１が原稿有りを検知してから所定カウント後に第１読取ユニット１０７が画像読取りを開始し、第１リードセンサ１１１が原稿無しを検知してから所定カウント後に第１読取ユニット１０７が画像読取りを終了する。
【００２８】
前記第２読取ユニット１０８は、搬送路１０４の最下流付近に、搬送路１０４に対して進退自在に配設されている。さらに詳細に説明するに、第２読取ユニット１０８は、光源８０により光が照射された原稿からの反射光を、収束性ファイバ８１で光導電素子８２上に収束して読み取る所謂ＣＩＳ（密着形イメージセンサ）であって、その読取面が搬送路１０４の直上となるように配置され、搬送路１０４に近接又は離間可能なように進退自在となっている。
【００２９】
また、第２読取ユニット１０８の下方には、搬送路１０４を挟んで対向する位置にプラテンローラ（白色ガイド部材）８３が配設されている。該プラテンローラ８３は白色のシリコンゴムローラであり、モータ等の駆動手段により回転されるようになっている。これにより、該プラテンローラ８３の周側面の白色が第２読取ユニット１０８のシェーディング補正の白色基準となっている。さらに、プラテンローラ８３の側方には、その周側面に圧接するようにしてクリーナ８４が配設されている。該クリーナ８４は、例えばフエルト材のように弾性変形が容易な軟質の素材であって、プラテンローラ８３の周側面の全幅に渡って密着するように配置されており、プラテンローラ８３が回転することにより、その周側面に付着した紙紛等を除去するものである。なお、クリーナ８４には、フエルト材等に代えてブラシ状のもの等を採用することも可能である。
【００３０】
前記第２読取ユニット１０８の読取面と前記プラテンローラ８３の周側面との間の距離は、第２読取ユニット１０８が最も近接した場合に、プラテンローラ８３の周側面と第２読取ユニット１０８の読取面とが接触する状態、乃至ほぼ普通紙１枚の厚みの範囲で設定されており、一般的なＣＩＳの被写体深度を考慮すれば、該距離は１０分の数ミリメートル以下である。一方、第２読取ユニットが離間した場合には、第２読取ユニット１０８の読取面が、搬送路１０４を搬送される原稿と接触しない程度である。
【００３１】
第２読取ユニット１０８が原稿の画像を読み取る場合には、前述したように、第２読取ユニット１０８がプラテンローラ８３と近接して原稿をニップした状態となるので、搬送路１０４が湾曲しているような位置に第２読取ユニット１０８を配設したのでは原稿にバタツキが生じ易く、第２読取ユニット１０８が読み取った画像に歪みが発生することがある。また、原稿を湾曲させた状態で第２読取ユニット１０８とプラテンローラ８３との間隙に導くとジャムが発生しやすい。従って、第２読取ユニット１０８の配置は、搬送路１０４が直線状となっている位置、特に、図に示すように、搬送路１０４が一定距離だけ水平であり、原稿が湾曲せずに直線的に搬送される位置とすることが好適である。
【００３２】
また、前記第２読取ユニット１０８はソレノイド１０９により上下方向に進退されるものとなっているが、図３は、ソレノイド１０９が第２読取ユニット１０８を進退させた状態を示すものである。図３(a)に示すように、ソレノイド１０９が縮短して第２読取ユニット１０８がプラテンローラ８３と離間した状態では、第２読取ユニット１０８の読取面が搬送路１０４を搬送されている原稿と接触せず、第２読取ユニット１０８は原稿の画像読取りを行わない。
【００３３】
一方、図３(b)に示すように、ソレノイド１０９が伸長することにより、第２読取ユニット１０８の読取面はプラテンローラ８３と近接又は接触し、プラテンローラ８３によるシェーディング補正、及び搬送路１０４を搬送されている原稿の画像読取りが可能となる。このように、第２読取ユニット１０８がソレノイド１０９によりプラテンローラ８３と近接又は接触された場合に、搬送路１０４を搬送されている原稿の画像を順次読み取り可能となっている。
【００３４】
前記第２読取ユニット１０８の上流側の所定位置には第２リードセンサ１１２が配置されており、前記第１読取ユニット１０７と同様に、第２リードセンサ１１２の検知信号に基づいて、画像読取制御部が第２読取ユニット１０８の原稿の読取動作及びソレノイド１０９の伸縮を制御するものとなっている。
【００３５】
図４は、第１読取ユニット１０７及び第２読取ユニット１０８で夫々読取られた画像データが本体制御部に出力されるまでの回路構成の一例を示すブロック図であるが、第１読取ユニット１０７で読み取られた画像の電気信号は、Ａ／Ｄ変換回路１１ａによりデジタル信号に変換されてラインメモリ１２ａに格納され、その後、画像処理回路１３ａによりシェーディング補正、ガンマ補正等がなされて本体制御部に出力される。一方、第２読取ユニット１０８で読み取られた画像の電気信号も同様に、Ａ／Ｄ変換回路１１ｂでデジタルデータに変換されてラインメモリ１２ｂに格納され、画像処理回路１３ｂでシェーディング補正等の画像処理を受けて本体制御部に出力される構成となっている。
【００３６】
以下、本画像読取装置１００の動作を図に基づいて説明する。
図５は、本画像読取装置１００の各動作を示すフローチャート図であり、図６及び図７は、各動作における原稿の搬送状態を示す模式図である。
【００３７】
画像読取りを行う前の待機時には、第２読取ユニット１０８は、図３(a)で示したように、プラテンローラ８３と離間された状態となっている。待機状態から画像読取りを行うには、まず画像読取り前に、操作部において両面読取り又は片面読取りの指定や原稿サイズ等が入力される。勿論、適宜センサを用いて原稿サイズを検知させることも可能である。
【００３８】
前記入力に基づいて、本画像読取装置１００は、片面読取りが入力された場合は第１読取ユニット１０７のみで原稿の画像を読み取り、両面読取りが入力イされた場合は第１読取ユニット１０７及び第２読取ユニット１０８で原稿の表裏面の画像を読み取る。
以下、原稿の両面読取りを行う場合について、画像読取装置１００の動作を説明する。
【００３９】
操作部のスタートボタンが押されることにより、本画像読取装置１００は原稿の画像読取りを開始する。原稿セットセンサ１１０は、給紙トレイ１０１に原稿が載置されているか否かを検知し（Ｓ１）、原稿が載置されていることを示す検知信号（オン）を出力した場合には、該検知信号に基づいて画像読取制御部が給紙クラッチを作動させ（Ｓ２）、図６(a)に示すように、揺動アーム２０が降下してピックアップローラ１０２ａが給紙トレイ１０１の最上紙に当接する。
【００４０】
さらにモータが回転して（Ｓ３）、ピックアップローラ１０２ａ、セパレートローラ１０２ｂ、リタードローラ１０２ｃ、搬送ドラム１０５、及び排出ローラ１０６が回転し、図６(b)に示すように、ピックアップローラ１０２ａが原稿を繰り出すとともに、リタードローラ１０２ｃが最上紙の原稿１枚のみを分離し、該原稿がセパレートローラ１０２ｂにより搬送路１０４に送られる。また、搬送ドラム１０５は、該原稿を搬送路１０４に従って搬送する。
【００４１】
第１リードセンサ１１１は、搬送されている原稿の先端を検知して検知信号を出力（オン）し（Ｓ４）、画像読取制御部は、該検知信号を受けた後、所定時間経過後（Ｔ１搬送後、Ｓ５）に、図７(a)に示すように、第１読取ユニット１０７の画像読取りを開始する（Ｓ６）。該所定時間（Ｔ１搬送）は、第１リードセンサ１１１から第１読取ユニット１０７までの搬送距離及び搬送速度に応じて、検知された原稿の先端が第１読取ユニット１０７の読取位置に到達するまでの時間を考慮して設定されるものであり、例えば、搬送ドラム１０５を回転させるステッピングモータのカウント数で制御することが可能である。同様に、第１リードセンサ１１１が、搬送されている原稿の後端を検知（オフ）してから（Ｓ７）、所定時間経過後（Ｔ２搬送後、Ｓ８）に、第１読取ユニット１０７の画像読取りを終了する（Ｓ９）。
【００４２】
一方、第１読取ユニット１０７により第１面の画像が読み取られた原稿は搬送路１０４を更に搬送され、第２リードセンサ１１２が、該原稿の先端を検知する（Ｓ１０）。該検知により第２リードセンサ１１２は検知信号（オン）を出力し、画像読取制御部は、該検知信号を受けた後、ソレノイド１０９を伸長させて第２読取ユニット１０８とプラテンローラ８３とを近接又は接触させる（Ｓ１１）。これにより、第２読取ユニット１０８は、図３(b)に示した状態となり、原稿の画像読取り及びシェーディング補正が可能な状態となる。
【００４３】
さらに所定時間経過後（Ｔ３搬送後、Ｓ１２）に、図７(b)に示すように、第２読取ユニット１０８の画像読取りを開始し（Ｓ１３）、第２リードセンサ１１２が、搬送されている原稿の後端を検知（オフ）してから（Ｓ１４）、所定時間経過後（Ｔ４搬送後、Ｓ１５）に、第２読取ユニット１０８の画像読取りを終了する（Ｓ１６）。その後、画像読取制御部はソレノイド１０９を縮短させて、第２読取ユニット１０８をプラテンローラ８３から離間させる（Ｓ１７）。
【００４４】
両面の画像読取りが終了した原稿は、排出ローラ１０６により排紙トレイ１０３に排紙される。さらに、次の原稿が給紙トレイ１０１に存在する場合には（Ｓ１８）、給紙クラッチが作動して（Ｓ２）、前述と同様の動作を繰り返し、給紙トレイ１０１に載置された原稿の束から順次原稿が取り出されて画像読取りが行われる。勿論、原稿の両面読取りを完全に終了する前に、次の原稿を搬送路１０４に繰り込むことも可能である。
【００４５】
一方、片面読取りの場合には、第１読取ユニット１０７が原稿の第１面を読取るまでは前述と同様の動作であって、その後の第２読取ユニット１０８及びソレノイド１０９の動作がないものとなる。即ち、図５に示したフローチャートの内、Ｓ１０〜Ｓ１７のステップが行われないものとなる。従って、片面読取りの際には、第２読取ユニット１０８は常に待機状態のままであり、第２読取ユニット１０８の直下を搬送される原稿と接触しないものとなる。
【００４６】
このように、待機状態において第２読取ユニット１０８をプラテンローラ８３と離間させて、第２読取ユニット１０８の読取面と原稿とが接触しないようにし、原稿の第２面を読み取る際にのみ第２読取ユニット１０８をプラテンローラ８３と近接又は接触させることとしたので、片面読取りの場合には第２読取ユニット１０８の読取面と搬送路１０４を搬送される原稿とが接触しないものとなり、該読取面に傷や汚れ等が生じることを抑制できる。また、第２読取ユニット１０８が離間されることにより、第２読取ユニット１０８とプラテンローラ８３との間隙が原稿の厚みより十分に広くなるので、プラテンローラ８３と原稿との接触力も軽減されてプラテンローラ８３に傷や汚れ等が生じることも抑制でき、ジャムも起こり難くなる。さらには、待機状態において第２読取ユニット１０８が離間され、プラテンローラ８３に圧接力が負荷されないので、プラテンローラ８３の表面に付着した紙紛等が、待機状態において常時負荷される圧接力により固着することを防止できる。
【００４７】
なお、前記実施の形態においては、第２リードセンサ１１２が原稿を検知した後、第２読取ユニット１０８とプラテンローラ８３とを近接又は接触させ（図５、Ｓ１１）、第２読取ユニット１０８が各々の原稿の第２面を読み取った後ごとに、第２読取ユニット１０８をプラテンローラ８３から離間させる（図５、Ｓ１７）ように制御しているが、第２読取ユニット１０８とプラテンローラ８３との近接／離間のタイミングは適宜変更することが可能である。例えば、待機状態において第２読取ユニット１０８とプラテンローラ８３とを離間させておき、操作部において両面読取りが指定された場合に近接又は接触させておくようにしてもよい。また、例えば原稿の第２面の所定領域の黒字率を検知するセンサを搬送路１０４に設け、該黒字率が一定の閾値以上であれば自動的に両面読取りを行うとともに、第２読取ユニット１０８とプラテンローラ８３とを近接するようにしてもよい。
【００４８】
また、ステップ１７（Ｓ１７）で第２読取ユニット１０８とプラテンローラ８３とを離間させる前に、ステップ１８（Ｓ１８）と同様に連続して読み取るべき原稿が給紙トレイ１０１にあるか否かを原稿セットセンサ１１０により検知させて、原稿有りの場合には第２読取ユニット１０８を離間させず、原稿無しの場合に離間させて待機状態とするように制御してもよい。これにより、複数の原稿の束を連続して両面読取りを行う場合には、原稿の束のすべてを読み終えるまで第２読取ユニット１０８とプラテンローラ８３とは近接された状態に維持されるので、不要な離間動作が省略されて読取速度の高速化が期待できる。
【００４９】
また、操作部において片面読取り優先モード／両面読取り優先モードを選択可能として、各モードによって待機状態における第２読取ユニット１０８の位置を変更するようにしてもよい。即ち、片面読取り優先モードを選択した場合には、前述したように、待機状態で第２読取ユニット１０８をプラテンローラ８３と離間させるようにし、両面読取り優先モードを選択した場合には、待機状態で第２読取ユニット１０８をプラテンローラ８３と近接又は接触させるように制御してもよい。
【００５０】
また、前記実施の形態では第２読取ユニット１０８のみが進退可能なものとしたが、例えば図８に示すように、プラテンローラ８３を揺動アーム及びクラッチ等の適当な駆動手段により第２読取手段１０８に対して進退可能として、離間状態においては、第２読取ユニット１０８及びプラテンローラ８３の双方ともに搬送路１０４を搬送される原稿と接触しないようにすれば、第２読取ユニット１０８及びプラテンローラ８３に生ずる傷や汚れ等を一層抑制することが可能となる。
【００５１】
【発明の効果】
このように、本発明に係る画像読取装置によれば、第２読取手段と白色ガイド部材とは接離自在に設けられて、片面読取りの場合には搬送される原稿と第２読取手段又は／及び白色ガイド部材とが接触しないように離間され、両面読取りの場合には第２読取手段の画像読取り及び画像補正が可能なように近接又は接触されるものとしたので、片面読取りの際に、原稿が第２読取手段又は／及び白色ガイド部材と接触せずに搬送路を搬送されるようになって、第２読取手段の読取面や白色ガイド部材の白色基準面に生じる傷や汚れを抑制することが可能となる。これにより、シェーディング補正ができなくなったり、画質異常が発生したりすることを防止できる。
【００５２】
また、本発明によれば、前記画像読取装置において、前記第２読取手段又は／及び前記白色ガイド部材を進退させる駆動手段と、前記第２読取手段の搬送路上流側に配置されて、該搬送路を搬送されている原稿を検知して検知信号を出力する検知手段と、該検知信号に基づいて、第２読取手段の画像読取り時に第２読取手段と白色ガイド部材とが近接又は接触するように前記駆動手段を動作させる制御手段とを具備してなるものとしたので、第２読取手段が原稿を読み取るとき以外は、搬送路を搬送される原稿が第２読取手段又は／及び白色ガイド部材と接触しないようになって、前記効果を一層高めることができる。
【００５３】
また、前記第２読取手段及び白色ガイド部材を、原稿読取りの待機時に離間された状態とすることにより、白色ガイド部材の表面に付着した紙紛やごみ等が固着されてしまうことを防止することができる。
【図面の簡単な説明】
【図１】本発明の実施の形態に係る画像読取装置１００の概略構成を示す断面図である。
【図２】画像読取装置１００の制御を示すブロック図である。
【図３】  (a)は第２読取手段１０８が離間された状態を、(b)は近接された状態を示す拡大断面図である。
【図４】第１読取ユニット１０７及び第２読取ユニット１０８で夫々読取られた画像データが本体制御部に出力されるまでの回路構成の一例を示すブロック図である。
【図５】画像読取装置１００の両面読取時の動作を示すフローチャート図である。
【図６】画像読取装置１００が原稿を読み取る場合の原稿搬送状態を示す模式図である。
【図７】画像読取装置１００が原稿を読み取る場合の原稿搬送状態を示す模式図である。
【図８】第２読取手段１０８及びプラテンローラ８３が進退可能な構成を示す拡大断面図である。
【図９】従来のＣＩＳの概略構成を示す断面図である。
【符号の説明】
１００  画像読取装置
１０１  給紙トレイ
１０３  排紙トレイ
１０４  搬送路
１０５  搬送ドラム（搬送手段）
１０７  第１読取ユニット（第１読取手段）
１０８  第２読取ユニット（第２読取手段）
１０９  ソレノイド（駆動手段）
８３  プラテンローラ（白色ガイド部材）
【図１】
0004072711.tif 000002
【図２】
0004072711.tif 000003
【図３】
0004072711.tif 000004
【図４】
0004072711.tif 000005
【図５】
0004072711.tif 000006
【図６】
0004072711.tif 000007
【図７】
0004072711.tif 000008
【図８】
0004072711.tif 000009
【図９】
0004072711.tif 000010